(57)【要約】【課題】  ダンススタジオのように遮音された空間の中の音楽にあわせたダンスの躍動感を、空間の外で疑似体験することができる体感音響システムを提供する。【解決手段】  体感音響システムは、区画された空間の内部の音を集音してマイク信号を出力するマイクと、空間の外部に配置された振動装置と、空間の外部にて音を放射するスピーカと、マイク信号を増幅して振動装置およびスピーカを駆動する増幅装置と、からなる。【選択図】図１
2016144202.tif 000002
【特許請求の範囲】
【請求項１】
区画された空間の内部の音を集音してマイク信号を出力するマイクと、
前記空間の外部に配置された振動装置と、
前記空間の外部にて音を放射するスピーカと、
前記マイク信号を増幅して前記振動装置および前記スピーカを駆動する増幅装置と、
からなることを特徴とする体感音響システム。
【請求項２】
前記空間を区画する壁には窓が設けられており、
前記振動装置は、前記窓を通して前記空間内を観覧する観覧者が前記振動装置の上に立つことができる床面に配置されていることを特徴とする請求項１に記載の体感音響システム。
【請求項３】
前記スピーカは、前記振動装置の上に立った観覧者の上方に配置されていることを特徴とする請求項２記載の体感音響システム。
【請求項４】
前記スピーカは、前記振動装置の上に立った観覧者が装着可能なヘッドフォンであることを特徴とする請求項２に記載の体感音響システム。
【請求項５】
前記体感音響システムは、前記振動装置の上または近傍に観覧者が立ったか否かを検出する人感センサを更に備え、
前記増幅装置は、前記人感センサが前記振動装置の上または近傍に観覧者が立ったことを検出した場合、前記振動装置および前記スピーカを駆動することを特徴とする請求項１乃至４のいずれか一つに記載の体感音響システム。
【請求項６】
前記増幅装置は、前記マイク信号の高域周波数成分を除去した増幅信号により前記振動装置を駆動することを特徴とする請求項１乃至５のいずれか一つに記載の体感音響システム。
【請求項７】
前記体感音響システムは、
前記空間の内部に設けられた内部スピーカと、
前記内部スピーカに音響信号を出力する再生装置と、
前記音響信号と前記マイク信号とのいずれかを選択して前記増幅装置に出力する選択装置と、
を有することを特徴とする請求項１乃至６のいずれか一つに記載の体感音響システム。
【請求項８】
前記体感音響システムは建築物内に設置され、前記振動装置は前記建築物内の前記空間の外部に配置され、前記スピーカは前記建築物内の前記空間の外部にて音を放射することを特徴とする請求項１乃至７のいずれか一つに記載の体感音響システム。
【請求項９】
集音してマイク信号を出力するマイクと、
振動装置と、
スピーカと、
前記マイク信号を増幅して前記振動装置および前記スピーカを駆動するように構成された増幅装置と、
からなる体感音響システム。
【発明の詳細な説明】
【技術分野】
【０００１】
本発明は、体感音響システムに関する。
【背景技術】
【０００２】
さまざまな音楽に合わせてダンスステップで振り付けを楽しめる舞踏などのレッスン用としてのダンススタジオ、アトリエなど（以下、単にスタジオとも称する）が、知られている。スタジオ内部の空間を区画する壁には広い窓が設けてあることが多い。スタジオ内のレッスン風景を観覧するには、スタジオに設けられた窓の外側に立ち、壁や窓からスタジオ外に漏れた音を聞くしかなく、遮音されたスタジオの中の状態を体感するためには、直接スタジオ内に立ち入ることが必要とされた。しかしながら、観覧者がスタジオ内に立ち入ることは通常禁止されており、許可を得て入ることができてもスタジオ内で行われているダンスの練習に支障を来す場合があった。
【０００３】
一方、体感音響装置として、電気機械振動変換器を床に設置する足載台内部に取付けた足載型体感音響装置（特許文献１）や、シートの骨組みを構成するフレームにベルトを介してトランスデューサを支持しているリング状の振動フレームを固定した車載用体感音響装置（特許文献２）や、着座部の内部に低音用のウーハーを配置し、背もたれ部の耳元位置まで伸張するダクトをウーハーに接続し、ウーハーから出力される低周波成分の音をダクトを介して耳元位置から出力するパーソナル音場システム（特許文献３）が、知られている。
【先行技術文献】
【特許文献】
【０００４】
【特許文献１】特公平７−１０６２１５号公報
【特許文献２】実開平６−２３３８９号公報
【特許文献３】国際公開ＷＯ２００６／１０９３８９号公報
【発明の概要】
【発明が解決しようとする課題】
【０００５】
しかしながら、何れの文献に記載の体感音響装置も、遮音されたスタジオ内の状態を疑似体験する装置として適したものではなかった。
【０００６】
本発明が解決しようとする課題としては、ダンススタジオのように遮音された空間の中の音楽にあわせたダンスの躍動感を、空間の外で疑似体験することができる体感音響システムを提供することが一例として挙げられる。また、本発明が解決しようとする課題として、上記体感音響システムを備えたスタジオなどの施設が提供されることも一例として挙げられる。
【課題を解決するための手段】
【０００７】
請求項１に記載の発明の体感音響システムは、区画された空間の内部にて、音を集音してマイク信号を出力するマイクと、
前記空間の外部に配置された振動装置と、
前記空間の外部にて音を放射するスピーカと、
前記マイク信号を増幅して前記振動装置および前記スピーカを駆動する増幅装置と、
からなることを特徴とする。
【図面の簡単な説明】
【０００８】
【図１】図１は、本発明による、ダンススタジオに配置された体感音響システムの一実施例を示す概略平面図である。
【図２】図２は、実施例１のダンススタジオの外側の一部を示す部分斜視図である。
【図３】図３は、本発明の実施例２を示す概略平面図である。
【発明を実施するための形態】
【０００９】
以下、本発明の実施例について、図面を用いて説明する。なお、すべての図面において、同様な構成要素には同様の符号を付し、適宜説明を省略する。
【実施例１】
【００１０】
図面を参照して本実施例の建築物内に設置された体感音響システムの概要について説明する。図１はダンススタジオの概略平面図を示すが、天井を除いて描かれている。図２はダンススタジオをその外壁側から眺めた部分斜視図であるが、天井を除いて描かれている。
【００１１】
図１および図２に示すように本実施例の体感音響システム１は、スタジオ１１の内部と外部に設けられる。スタジオ１１は、例えば内外壁部やその中の充填物からなる遮音性の壁１３で区画された空間１３ａを有する。スタジオ１１は例えばＪＩＳ Ａ １４１９−１で定められたＤ値、たとえばＤ４５〜Ｄ６０などを遮音性能値として持つように施工されている。
【００１２】
スタジオ１１の内部の空間１３ａには、様々な音楽にあわせてダンスレッスンを行うために、音を放射する内部スピーカ１５が、例えば天井（図示せず）から吊り下げられた形で備えられている。内部スピーカ１５に出力される信号の信号源である再生装置１７と増幅器１９は、例えば、スタジオ１１に隣接する部屋に備えられている。例えばＣＤプレーヤやＤＶＤプレーヤなどの再生装置１７からの再生信号（音響信号）が増幅器１９へ出力される。内部スピーカ１５と増幅器１９との接続配線はスタジオ１１の床、壁および天井の裏側に適宜施工されている。
【００１３】
スタジオ１１の外部には、例えば通路２１が設けられている。通路２１からスタジオ１１の内部を眺められるように、空間１３ａを区画する壁１３の一部には窓２３が設けられている。窓２３は、例えば透明な合わせガラスから形成される。
【００１４】
体感音響システム１は、スタジオ１１の内部に設けられたマイク２５を有する。マイク２５は、内部スピーカ１５から放出された音楽だけでなく、ダンスインストラクターの声や音楽に合わせて踊る人々のダンスステップの音などの様々な音を集音してマイク信号を出力する。マイク２５は、スタジオ１１内の壁面又は天井に設けられた半球全指向性タイプのマイク（バウンダリーマイクと呼ばれる）とすることが望ましい。もちろん、マイク２５は、スタジオ１１内の床面に建てられたスタンドに設けられた無指向性マイクとすることもできる。さらに、このマイク２５は指向性マイクであってもよい。指向性マイクは、スタジオ内の雰囲気が感じられる望ましい箇所の音を集音する。なお、マイク２５は１つに限ることなく、異なる位置に配置した２つ以上でもよい。
【００１５】
体感音響システム１は、スタジオ１１の外部、例えば通路２１に配置された振動装置２７を有する。振動装置２７は、観覧者Ｈが窓２３を通してスタジオ１１の内部を観覧できる通路２１の床面の位置に配置されている。より詳細には、振動装置２７は、窓２３を通してスタジオ１１の内部を観覧する観覧者が立つ位置にあわせて配置されている。振動装置２７はマイク２５の出力のマイク信号から高域周波数成分を除去した低域周波数成分の増幅信号により駆動される振動装置である。振動装置２７は、通路２１の床面と同一レベルで保持され該床面と振動自在に接着された表面の平坦なトッププレートと、該トッププレートの裏面に固定された電気機械トランスデューサ（図示しない）から成る。電気機械トランスデューサはマイク信号の低域周波数成分を増幅した増幅信号により駆動され、トッププレートを振動させる。よって、振動装置２７のトッププレートがその上に立った観覧者Ｈに振動を与える。なお、振動装置２７は１つでもよく、あるいは２つ以上並べて配置してもよい。
【００１６】
さらに、体感音響システム１は、空間１３ａの外部である通路２１にて音を放射するスピーカ２９を有する。スピーカ２９は、振動装置２７の上に立った観覧者Ｈの上方の天井（図示せず）に、窓２３に沿って左右に２つ並べて埋め込まれている。もし、天井が高い場合は、振動装置２７の上に立った観覧者Ｈの上方のスタジオ外壁面にスピーカ２９を設置することもできる。
【００１７】
スピーカ２９としては特に限定されないが、指向性スピーカであってもよい。例えばスピーカ２９は狭指向性であれば、観覧者Ｈすなわち振動装置２７に対向する形で通路天井に設けられる。そして、スピーカ２９はスタジオの窓２３から所定の距離以内、例えば振動装置２７の合計面積以上の範囲に音を届けることができる指向性を備えるよう設計されていてもよい。
【００１８】
スピーカ２９は、観覧者Ｈが装着可能なヘッドフォン２９ａであってもよい。ヘッドフォン２９ａは、図２に示すように例えば振動装置２７の上に立った観覧者Ｈの付近の壁１３にフックなどで引っかけられてもよい。
【００１９】
体感音響システム１は、マイク２５から出力されたマイク信号を増幅して振動装置２７およびスピーカ２９を駆動する増幅装置３１を有する。増幅装置３１は、マイク２５からのマイク信号を増幅して、増幅信号をスピーカ２９に出力する。従って、マイク２５が集音したスタジオ内の音が振動装置２７の上の観覧者Ｈの頭上からリアルタイムに放射されることとなる。図示したようにスピーカ２９を振動装置２７の上に立った観覧者Ｈの上方の天井に設置することにより、観覧者Ｈがスタジオ内の音をシャワー効果的に聞くことができるという効果をもたらす。また、スピーカ２９が狭指向性を備えるものでなくとも、スピーカ２９から放射されるスタジオ内の音がスタジオ１１と同じフロアに設けられた他の施設へ及ぶのを最小とすることもできる。
【００２０】
増幅装置３１は、また、マイク２５からのマイク信号の高域周波数成分をローパスフィルタで除去した低域成分信号（サブウーハー用信号）を生成して、該信号により振動装置２７を駆動する。よって、マイク２５が集音したスタジオ内の振動が振動装置２７の上の観覧者Ｈにリアルタイムに伝達されることとなる。
【００２１】
増幅装置３１とマイク２５、振動装置２７およびスピーカ２９との接続配線はスタジオ１１の床、壁および天井の裏側に適宜施工されている。
【００２２】
更に、体感音響システム１は、赤外線センサなどの人感センサＳｅのシステムを備えることもできる。人感センサＳｅは、図２に示すように例えば振動装置２７の上または近傍に観覧者Ｈが立ったか否かを検出する。
【００２３】
人感センサＳｅが振動装置の上または近傍に観覧者Ｈが立ったことを検出した場合、人感センサＳｅは、増幅装置３１に開始信号を出力し、かかる開始信号を受けた増幅装置３１は振動装置２７およびスピーカ２９の駆動を開始する。人感センサＳｅが振動装置の上または近傍に観覧者Ｈが立っていないことを検出した場合、人感センサＳｅは、増幅装置３１に停止信号を出力し、増幅装置３１は振動装置２７およびスピーカ２９の駆動を直ちにまたは所定時間後に停止させる。
【００２４】
このように、本実施例の体感音響システム１によれば、振動装置２７の上の観覧者Ｈは、スタジオの窓２３からダンスレッスンの様子を眺めながらスタジオ内の音と振動とを体感できる。すなわち観覧者Ｈはスタジオ内の状態を疑似体験することができる。
【００２５】
なお、上記したスタジオの窓２３の取り付ける位置は一例であり、本実施例はこれに限定されない。例えば、壁１３のほとんどの面積が、防音性のガラス板や透明アクリルなどのプラスチック板を用いた窓２３で構成されてもよい。
【００２６】
ここで、本実施例は、窓２３が取り付けられるスタジオ（施設）として説明したが、窓２３が無くとも望まれるスタジオであれば特に制限されない。例えば、スタジオ１１は、レコーディングスタジオ、リハーサルスタジオなどであってもよい。なお、これらは例示であり、本実施例のスタジオ（施設）は、これらに限定されない。窓２３が無いスタジオの場合、窓の代わりに、薄型ディスプレイ（図示せず）を設けて構成してもよい。この薄型ディスプレイには、例えば、振動装置２７の上に立った観覧者Ｈの目線位置の壁１３の外壁に、８Ｋ（7680×4320ピクセル、約3300万画素の超高精細な映像）対応の薄型ディスプレイを用いてもよい。そして、８Ｋ対応のビデオカメラ（図示せず）をスタジオ２内に設けて、該カメラがダンスレッスンの様子を撮像して、スタジオ内の様子が８Ｋ対応の薄型ディスプレイに表示される。これによっても、上記の窓２３が有るスタジオの場合の実施例と同様の効果を得ることができる。窓の代わりに、ディスプレイを用いた場合、ディスプレイにはカメラ映像を映すだけでなく、ダンスレッスンの広告などをカメラ映像と同時にあるいはカメラ映像と切り替えて表示することも可能である。
【実施例２】
【００２７】
図３を用いて本実施例の建築物内に設置された体感音響システム１の概要について説明する。本実施例の体感音響システム１は、マイク２５のマイク信号と再生装置１７からの出力信号を切り替えるための選択装置３３を更に備えている以外、実施例１と同様である。実施例１と同じ構成要素については説明を省略する。
【００２８】
マイク２５よび再生装置１７に接続された選択装置３３は、再生装置１７の出力信号とマイク２５からのマイク信号とを選択していずれかの信号を増幅装置３１に出力する。選択装置３３は、再生装置１７の出力信号とマイク２５からのマイク信号とを切り替える手動スイッチ（図示せず）を備えている。その手動スイッチは、例えば、振動装置２７の上に立った観覧者Ｈが操作できるように、スタジオの窓２３の下の外壁に取り付けることができる。選択装置３３とその手動スイッチとの接続配線はスタジオ１１の床および壁の裏側に適宜施工される。
【００２９】
この実施例２によれば、選択装置３３により、振動装置２７の上に立った観覧者Ｈが実施例１と同様の疑似体験効果とスタジオに流れる音楽を直接視聴できる機会とを選択的に得ることができる。
【符号の説明】
【００３０】
１  体感音響システム
２３  窓
２５  マイク
２７  振動装置
２９  スピーカ
３１  増幅装置
Ｓｅ  人感センサ
Ｈ  観覧者
【図１】
2016144202.tif 000003
【図２】
2016144202.tif 000004
【図３】
2016144202.tif 000005